(57)【要約】【課題】  光源を消灯したときには鏡として機能し、点灯させたときには鏡に所望の像又は風景等を表出させることができる、幻想的で斬新なディスプレー装置を提供する。【解決手段】  板材を折り曲げて複数枚の側板から成る多角柱状に形成した装置本体１２と、該装置本体１２の内部にセットする光源１３とから構成され、前記装置本体１２の複数枚の側板１４、１５、１６のうち、第１の側板１４は、透光率が３〜７％の範囲の鏡面体１９に形成されると共に、内側には所望の透光性表示シート２０を保持する保持部材２１ａ、２１ｂを備え、第２の側板１５及び第３の側板１６は、外部の光を遮るように所定の遮光加工が施されると共に、内側面１５ａ、１６ａは鏡面に形成されているディスプレー装置１１である。【選択図】      図１
2005189276.tif 000002
【特許請求の範囲】
【請求項１】
板材を折り曲げて複数枚の側板から成る多角柱状に形成した装置本体と、該装置本体の内部にセットする光源とから構成され、
前記装置本体の複数枚の側板のうち、少なくとも１枚の側板は、透光率が３〜７％の範囲の鏡面体に形成されると共に、内側には所望の透光性表示シートを保持する保持部材を備え、
残りの側板は、外部の光を遮るように所定の遮光加工が施されると共に、内側面は鏡面に形成されていること
を特徴とするディスプレー装置。
【請求項２】
前記光源は、ろうそく又は照明装置であることを特徴とする請求項１に記載のディスプレー装置。
【請求項３】
前記側板の下端部には、通気用の孔部が形成されていることを特徴とする請求項１に記載のディスプレー装置。
【発明の詳細な説明】
【技術分野】
【０００１】
本発明は、光源を消灯したときには鏡として機能し、点灯させたときには鏡に所望の像又は風景等を表出させることができる、幻想的で斬新なディスプレー装置に関するものである。
【背景技術】
【０００２】
従来、この種の装置としては、次のような構成の表示装置が知られている。この表示装置は、箱形ケーシングの一側面に半透光性の鏡体（ハーフミラー）を取り付け、この鏡体の内側面に図案又は絵等を表出した表示シートを貼着すると共に、ケーシングの内部に照明装置を設けた構成である（特許文献１参照）。
【０００３】
このような構成の表示装置は、照明装置を点灯させないときには鏡体が外部の像を反射するので通常の鏡として使用できる。また、照明装置を点灯したときには表示シートの図絵等が鏡体を介して映し出される。このような表示装置は、室内に載置して使用する装飾品として適するものである。
【特許文献１】特開昭５５−２９８０６号公報（第１頁及び第２頁、図１乃至図５）。
【発明の開示】
【発明が解決しようとする課題】
【０００４】
この従来例の表示装置においては、通常の半透光性の鏡体（ハーフミラー）を用いているので、照明装置を消灯したときに、鏡体に表示シートの図絵が透けて見えるという欠点を有している。特に、鏡体に近づいたときには、表示装置の内部が透けて見えるおそれがある。
【０００５】
また、照明装置が蛍光灯等の比較的照度の高いものであれば、鏡体に表示シートの図絵を映し出すことができるが、照度の低いろうそくや豆電球等を使用した場合には、表示シートの図絵を鮮明に映し出せないという欠点も有している。
【０００６】
つまり、このような表示装置は、高照度の照明装置の基で表示シートの図絵を鏡体にクッキリと映し出すので、室内装飾品や商品の広告媒体として使用するのに適している。しかしながら、ろうそく等の低照度の光源を使用して幻想的な雰囲気を醸し出したい場合、即ち、一例をあげると幻影的なショー等に用いるディスプレーとして使用する場合や、仏壇でろうそくを灯して映し出す御遺影として使用する場合等には不向きである。
【０００７】
従って、従来例における表示装置においては、照明装置を消灯したときに鏡体から表示シートの図絵や表示装置の内部が透けて見えないようにすることと、ろうそく等の低照度の光源を使用できて幻想的な雰囲気を醸し出せるようにすることとに解決しなければならない課題を有している。
【課題を解決するための手段】
【０００８】
前記従来例の課題を解決する具体的手段として本発明は、板材を折り曲げて複数枚の側板から成る多角柱状に形成した装置本体と、該装置本体の内部にセットする光源とから構成され、前記装置本体の複数枚の側板のうち、少なくとも１枚の側板は、透光率が３〜７％の範囲の鏡面体に形成されると共に、内側には所望の透光性表示シートを保持する保持部材を備え、残りの側板は、外部の光を遮るように所定の遮光加工が施されると共に、内側面は鏡面に形成されていることを特徴とするディスプレー装置を提供するものである。
【０００９】
また、前記光源は、ろうそく又は照明装置である構成としたものであり、そして、前記側板の下端部には、通気用の孔部が形成されている構成としたものである。
【発明の効果】
【００１０】
本発明に係るディスプレー装置は、板材を折り曲げて複数枚の側板から成る多角柱状に形成した装置本体と、該装置本体の内部にセットする光源とから構成され、前記装置本体の複数枚の側板のうち、少なくとも１枚の側板は、透光率が３〜７％の範囲の鏡面体に形成されると共に、内側には所望の透光性表示シートを保持する保持部材を備え、残りの側板は、外部の光を遮るように所定の遮光加工が施されると共に、内側面は鏡面に形成されていることによって、保持部材に透光性表示シートを保持させて光源を点灯させれば鏡面体に像又は風景等を表出させることができる。また、光源を消灯したときには鏡面体が通常の鏡として機能することとなる。
この場合、鏡面体の透光率を３〜７％の範囲にして、且つ他の側板に遮光加工を施したので、光源を消灯したときに透光性表示シートの像が鏡面体に透けて見えない。また、鏡面体に近づいても装置の内部が透けて見えない。
更に、装置本体を多角柱状に形成すると共に、鏡面体以外の他の側板の内側面を鏡面に形成することにより、光源の光が鏡面で反射して透光性表示シートを保持する鏡面体に集中することとなる。従って、ろうそく等の低照度の光源であっても透光性表示シートの像を鏡面体に鮮明に表出させることが可能となるという種々の優れた効果を奏する。
【００１１】
また、前記光源は、ろうそく又は照明装置であることによって、特に、ろうそくを使用した場合には、炎の色調と揺らぎ作用により幻想的な雰囲気を醸し出すことができるので、幻影的なショー等に用いるディスプレーとして使用したり、あるいは仏壇で御遺影として使用する場合に好適であるという優れた効果を奏する。
【００１２】
そして、前記側板の下端部には、通気用の孔部が形成されていることによって、光源にろうそくを使用した場合に通気口から空気（酸素）が流入する。従って、酸素不足による煤の発生現象が生じないという優れた効果を奏する。
【発明を実施するための最良の形態】
【００１３】
光源を消灯したときに、表示シートの図絵等が鏡面体に透けて見えないようにするという目的を、鏡面体の透光率を３〜７％の範囲にして、且つ他の側板に遮光加工を施すことにより実現した。
また、ろうそく等の低照度の光源を使用できて幻想的な雰囲気を醸し出せるようにするという目的を、装置本体を多角柱状に形成すると共に、鏡面体以外の他の側板の内側面を鏡面に形成することにより、光源の光が鏡面で反射して透光性表示シートを保持する鏡面体に集中するようにしたことにより実現した。
【実施例１】
【００１４】
次に、本発明の実施の形態について図面を参照しながら説明する。まず、図１において、符号１１はディスプレー装置を示し、このディスプレー装置１１は、プラスチック等の合成樹脂板を折り曲げて三角柱状に形成した装置本体１２と、この装置本体１２の内部にセットする光源１３とから構成される。
【００１５】
装置本体１２は、例えば、難燃性の透明なプラスチック板の両面又は片面に、所定の反射膜を真空蒸着手段によりコートして鏡面加工を施した板材をベースにして形成されている。なお、プラスチック板に反射膜をコートする替わりに、鏡面フィルムを貼着させたものでもよい。
そして、装置本体１２は、第１の側板１４と、第２の側板１５と、第３の側板１６とから成り、平面視が正三角形状に形成されると共に、上端部１７と下端部１８とを開口して挿通させている。
【００１６】
第１の側板１４は、前記の鏡面加工を施す際に、透光率が３〜７％の範囲になるようにして鏡面体１９を形成しており、特に望ましくは鏡面体１９の透光率を５％になるようにしている。鏡面体１９の透光率を上記のようにした理由は、透光率を３％よりも少ない値にすると、ろうそく等の低照度の光源を使用したときに、鏡面体１９に透光性表示シート２０の像を表出できないからである。また、透光率を７％よりも多い値にすると消灯時に鏡面体１９から透光性表示シート２０が透けて見えるからである。
なお、第１の側板１４の上下両端部及び左右両端部には、所要幅の塗装を施して枠部１４ａを形成している。
【００１７】
第１の側板１４の内側には、図２（イ）（ロ）に示すように、左右両側部に断面Ｌ字状の保持部材２１ａが設けられており、また、下端部には同型状の保持部材２１ｂが設けられている。そして、保持部材２１ａの上部から所望の透光性表示シート２０を差し込んで保持部材２１ａ、２１ｂに保持させ、且つ第１の側板１４の内側に沿わせるように構成されている。
透光性表示シート２０は、所望の像、風景、又は写真等を透明なプラスチック板等に転写したものであり、これに光りを当てて鏡面体１９に当該像等を表出させることができるのである。
また、保持部材２１ａ、２１ｂに保持させた透光性表示シート２０の外側には、これとほぼ同型状の透明で難燃性のプラスチック板２２を重ねて保持させる。
【００１８】
第２の側板１５及び第３の側板１６は、外部の光を遮断するように所定の遮光加工が施してある。遮光加工は、具体的には側板１５、１６の外側面に塗装をしたり、あるいは遮光フィルムを貼着させればよい。更に、側板１５、１６の外側面に適宜の文字や図案等のデザイン２３を施してもよい。
また、第２の側板１５及び第３の側板１６の各内側面１５ａ、１６ａは、前述の鏡面加工が施されていることにより、鏡面に形成されている。
【００１９】
更に、各側板１４、１５、１６の下端部には、通気用の孔部２４が複数形成されている。この孔部２４の存在によって、光源１３にろうそくを使用した場合に、孔部２４から空気（酸素）が流入するので、酸素不足による煤の発生現象が生ぜず、炎が安定したものとなる。
【００２０】
光源１３は、具体的には、ろうそく、又は豆電球や発光ダイオード等の照明装置である。特に、光源１３にろうそくを使用した場合には、炎独特の色調と揺らぎ作用により鏡面体１９に表出させた像等に幻想的な雰囲気を醸し出すことができるのである。
【００２１】
このように構成されるディスプレー装置１１は、保持部材２１ａ、２１ｂに透光性表示シート２０を保持させて光源を点灯させれば、図４に示すように、鏡面体１９に像又は風景等を表出させることができる。また、光源を消灯したときには、図５に示すように、鏡面体１９が通常の鏡として機能する。この場合、鏡面体１９の透光率を３〜７％の範囲にして、第２の側板１５及び第３の側板１６に遮光加工を施してあるので、透光性表示シート２０の像が鏡面体１９に透けて見えない。
【００２２】
また、装置本体１２を三角柱状に形成して、装置本体１２の平面視が、図５に示すように、正三角形状に形成されるようにしている。更に、第２の側板１５及び第３の側板１６の各内側面１５ａ、１６ａを鏡面に形成することにより、光源の光が鏡面で反射して透光性表示シート２０を保持する鏡面体１９に集中することとなる。従って、ろうそく等の低照度の光源であっても透光性表示シート２０の像を鏡面体１９に鮮明に表出させることが可能となるのである。
【産業上の利用可能性】
【００２３】
本発明のディスプレー装置１１は、幻影的なショーやパレード等に用いるディスプレーとして使用したり、あるいは、仏壇で御遺影として使用する場合に好適である。
【図面の簡単な説明】
【００２４】
【図１】本発明に係るディスプレー装置の斜視図である。
【図２】（イ）は、鏡面体の内側を示す正面図である。（ロ）は、（イ）のＡ−Ａ線断面図である。
【図３】光源を点灯した状態の、鏡面体の正面図である。
【図４】光源を消灯した状態の、鏡面体の正面図である。
【図５】光源の光の反射を説明する、ディスプレー装置の平面図である。
【符号の説明】
【００２５】
１１  ディスプレー装置
１２  装置本体
１３  光源
１４  第１の側板
１４ａ枠部
１５  第２の側板
１５ａ内側面
１６  第３の側板
１６ａ内側面
１７  上端部
１８  下端部
１９  鏡面体
２０  透光性表示シート
２１ａ、２１ｂ保持部材
２２  プラスチック板
２３  デザイン
２４  孔部
【図１】
2005189276.tif 000003
【図２】
2005189276.tif 000004
【図３】
2005189276.tif 000005
【図４】
2005189276.tif 000006
【図５】
2005189276.tif 000007